(57)【要約】エレベータの照明装置１００は、エレベータのかご室１の天井部４に、かご室１内の照明用として設けられた光源要素を備える。光源要素は、第１の発光色を放射する少なくとも１つの第１の光源１０ａと、第１の発光色と異なる第２の発光色を放射する少なくとも１つの第２の光源１０ｂとを含む複数の光源の組み合せからなる。発光色の異なる複数の光源を同時に用いることで、色調を多彩にする。【選択図】      図２
2007505021.tif 000002
【特許請求の範囲】
【請求項１】
エレベータのかご室と、このかご室の天井部にかご室内照明用として設けられた光源要素と、を具備し、
前記光源要素は、
第１の発光色を放射する少なくとも１つの第１の光源と、
前記第１の発光色と異なる第２の発光色を放射する少なくとも１つの第２の光源と
を含む複数の光源との組み合せからなることを特徴とするエレベータの照明装置。
【請求項２】
前記光源は、冷陰極蛍光ランプであることを特徴とする請求項１に記載のエレベータの照明装置。
【請求項３】
前記光源は、発光ダイオードおよび有機エレクトロルミネッセンスのうちの少なくともいずれか一方の素子であることを特徴とする請求項１に記載のエレベータの照明装置。
【請求項４】
前記複数の光源は、前記かご室の天井部に規則的に並んで配設されていることを特徴とする請求項１ないし３のいずれかに記載のエレベータの照明装置。
【請求項５】
前記かご室の天井部に規則的に並んで配設される複数の光源は、互に発光色の異なる光源が互に隣り合って並ぶ状態にあることを特徴とする請求項４に記載のエレベータの照明装置。
【発明の詳細な説明】
【技術分野】
【０００１】
本発明は、エレベータのかご室内を照明する照明装置に関する。
【背景技術】
【０００２】
エレベータのかご室は、上部に天井部を有している。照明箱は、この天井部の下面に取り付けられている。照明箱は、下面に大きな開口部を有し、この開口部に光透過性の例えば合成樹脂からなる照明板が設けられている。
【０００３】
光源要素として複数の蛍光ランプ（熱陰極管）が、天井部の下面に設けられている。これら蛍光ランプが点灯すると、照明板を通してその光がかご室内に拡散し、かご室内が照明される。
【０００４】
かご室内を照明する光源要素として使用される蛍光ランプの発光色は、白色や昼白色等、複数種類のうちから一つが標準色に選択される。かご室内の内装の装飾や配色は、この選択された標準色の蛍光ランプにあわせてデザインされる。
【発明の開示】
【発明が解決しようとする課題】
【０００５】
かご室内は、自然光が差し込むことは稀である。したがって、かご室内の意匠性や雰囲気は、その内部に設けられる照明効果に依存するところが大きい。かご室内の照明用に採用した光源要素の発光色に、白色や昼白色等のうちの一つが選択されると、かご室内の色合いは、画一的なものとなる。このため、エレベータの設置場所等に応じた意匠性や雰囲気をつくりだすことが困難となっている。
【０００６】
そこで、本発明は、エレベータの設置場所等に応じてかご室内の照明色の色調を変え、所望の意匠性や雰囲気を作りだすことができるエレベータの照明装置を提供する。
【課題を解決するための手段】
【０００７】
本発明に係るエレベータの照明装置は、エレベータのかご室の天井部に、かご室内照明用として設けられた光源要素を備える。光源要素は、第１の発光色を放射する少なくとも１つの第１の光源と、第１の発光色と異なる第２の発光色を放射する少なくとも１つの第２の光源とを含む複数の光源の組み合せからなる。
【０００８】
このとき、光源としては、冷陰極蛍光ランプ、あるいは、発光ダイオードまたは有機エレクトロルミネッセンスの少なくともいずれか一方の素子を適用する。光源は、かご室の天井部に規則性を有して配設する。この場合、隣り合う光源は、互いに異なる発光色にする。
【発明の効果】
【０００９】
本発明によれば、発光色の異なる複数の光源を備えることで、色調が多彩になり、かご室内の照明色をエレベータの設置場所等に応じた色合いに設定することができる。したがって、顧客が要望する意匠や雰囲気をつくりだすことができる。
【発明を実施するための最良の形態】
【００１０】
本発明に係る第１の実施形態について図１および図２を参照して説明する。  
図１にはエレベータのかご室１の構成を示している。このかご室１は、床部２と、この床部２の上の四方を囲む側板部３と、側板部３の上端部に設置された天井部４とを備えている。
【００１１】
照明箱５は、天井部４の下面に取り付けられ、下面に大きな開口部６を有している。この開口部６に光透過性を有する、例えば合成樹脂で形成された、照明板７が設けられている。天井部４の下面には、光源要素として、複数の直管形の光源１０ａ，１０ｂがそれぞれソケット台１１を介して規則的に並列するように取り付けられている。これら光源１０ａ，１０ｂから放射される光は、照明板７を透過してかご室１内に拡散さることによって、かご室１内を照明する。
【００１２】
照明装置１００は、光源１０ａ，１０ｂとソケット台１１とコネクタ２１と操作盤２２とテールコード２３と制御盤２４と商業用の外部電源２５とで構成される。外部電源２５は、現地で入手可能な電力の電圧であってもよいし、入手した電力を変圧器で調整されたものでも良い。外部電源２５は、制御盤２４に接続される。制御盤２４は、テールコード２３によって、かご室１内の操作盤２２に接続されている。
【００１３】
操作盤２２は、外部電源２５をオン・オフさせるためのスイッチが配置されている。操作盤２２は、かご室１外側の天井部４の上に設置されるコネクタ２１に接続されている。コネクタ２１は、照明箱５内の複数あるソケット台１１のそれぞれと並列に接続されている。ソケット第１１は、安定器や変圧器を含むインバータを内蔵している。
【００１４】
なお、かご室１は、正面に出入口１５が形成されている。この出入口１５は、この出入口１５を閉じるためのドア１６ａ，１６ｂが設けられている。また、ドア１６ａ，１６ｂの上部は、幕板で覆われる。側板部３の下端は、巾木１８が取り付けられる。
【００１５】
光源１０ａ，１０ｂは、図２に示すように、天井部４の下面に縦横に均等的に配列するように設けられている。これら光源１０ａ，１０ｂは、冷陰極蛍光ランプであって、第１の発光色を放射する第１の光源１０ａと、これと隣り合い第１の発光色と異なる第２の発光色を放射する第２の光源１０ｂである。第１の発光色および第２の発光色として、白色、昼白色、昼光色、電球色などのほか、光の３原色の赤、青、緑から作られる色であっても良い。
【００１６】
発光色の組み合せの一例を挙げると、複数の光源のうちの幾つかは白色で、残りの光源１０は昼白色となっている。例えば、図２に示す８つの光源のうち、４つの第１の光源１０ａは白色、残りの４つの第２の光源１０ｂは昼白色で、白色の第１の光源１０ａと昼白色の第２の光源１０ｂとが横方向および縦方向に対して交互に並ぶように設けられている。
【００１７】
このように、複数の光源１０ａ，１０ｂの発光色が異なることにより、一種類の発光色の光源を用いる場合比べて、複数の色が交じり合った独特の色合いで、かご室１内が照明される。したがって、かご室１内の意匠性や雰囲気は、エレベータの設置場所等に相応しいように設定することができる。
【００１８】
光源１０ａ，１０ｂの発光色の組み合せは、上述の例の場合に限らず、例えば図２における左半分の光源を白色、右半分の光源を昼白色とする場合、上半分の光源を白色、下半分の光源を昼白色とする場合、あるいは左右の２つずつの光源を白色、その中間部の４つの光源を昼白色とする場合など、種々のバリエーションを選ぶことが可能である。また、外の制御盤２４によって点灯させる光源１０ａ，１０ｂの数を変化させ、例えば外の天気や明るさなどに応じてかご室１内の明るさを変化させても良い。
【００１９】
また、使用する光源の発光色についても、白色と昼白色との組み合せとする場合に限らず、青色、赤色、緑色などの種々の発光色の光源を組み合わせて使用することが可能である。これによりさらに幻想的な照明色でかご室１内を照明することができる。
【００２０】
光源１０ａ，１０ｂとして用いられる冷陰極蛍光ランプは、１〜６ｍｍ程度の直径を有する透光性放電容器と、この放電容器の両端部に封止された一対の冷陰極と、放電容器の内面に塗布された蛍光体と、放電容器内に封入された放電媒体とを備える。陰極が加熱されることなく発光するため、点灯・消灯の回数によって寿命が左右されることがない。単に発光時間に起因する要素だけで寿命が決まるという特性をもっている。また、この冷陰極蛍光ランプは、電圧を印加すると直に点灯し、発光までの時間的な遅れがないことも特徴の１つである。
【００２１】
このような冷陰極蛍光ランプを光源１０ａ，１０ｂとし、発光色の異なる複数の種類を天井部４に取り付けるようにする。冷陰極蛍光ランプの管径が小さく、発熱も少ないので、天井部４に光源１０ａ，１０ｂを密に配設することができる。これにより点灯時に照明板７の全域をむらなく一様に照光して、かご室１内を均等に照明することができる。また、光源１０ａ，１０ｂである冷陰極蛍光ランプの管径が小さいので、照明箱５の厚さを薄形に構成できる。かご室１は、天井が高くなり、かご室１の内部空間を広く有効に使用することができる。
【００２２】
さらに、冷陰極蛍光ランプは、通常一般の蛍光ランプに比べて格段に長寿命である。このためその交換期間を大幅に延ばすことができ、保守に手間がかから無い。冷陰極蛍光ランプは、通常一般の蛍光ランプのような点灯時における不規則な点滅動作がなく、直ちに点灯が可能である。このため点灯の瞬間からかご室１内を違和感なく照明することができる。点灯させる光源１０ａ，１０ｂを運行途中で切換える制御を行っても利用者に違和感を与えることがない。
【００２３】
本発明に係る第２の実施形態の照明装置１００について、図３を参照して説明する。なお、第１の実施形態に記載の照明装置１００と同じ機能を有する構成は、同一の符号を付してその説明を省略する。図３に示すエレベータの天井に取り付けられた照明装置１００は、第１の光源としてのＬＥＤ（発光ダイオード）１０ｃと、第２の光源としてのＬＥＤ１０ｄとを備えている。本実施形態において、各ＬＥＤ１０ｃ，１０ｄは、緻密に一列に並べられた状態で、ソケット台１１に装着されている。ＬＥＤ１０ｃ，１０ｄは、かご室１内として必要な光量を満たす十分な数だけ取り付けられる。また、発光色は、第１の実施形態と同様に多種類用意される。このとき隣り合うソケット台１１ごとにＬＥＤ１０ｃ，１０ｄどうし異なる発光色としてもよいし、同じソケット台１１内で異なる発光色のＬＥＤが配置されていても良い。図３に示すように一列のソケット台１１にユニット化する以外に、パネル状にＬＥＤを配置したものでも良い。
【００２４】
本発明に係る第３の実施形態の照明装置１００について、図４を参照して説明する。なお、第２の実施形態に記載の照明装置と同じ機能を有する構成は、同一の符号を付してその説明を省略する。図４に示すエレベータの天井に取り付けられた照明装置１００は、第１および第２の光源として有機ＥＬ（エレクトロルミネッセンス）１０ｅ，１０ｆを備える。パネル状に形成された有機ＥＬ１０ｅ，１０ｆは、単色のパネルであってもよいし、複数色を表示できるカラーパネルであってもよい。有機ＥＬ１０ｅ，１０ｆの大きさは、かご室１内に必要な十分な光量を提供できる発光面積を有している。また、有機ＥＬ１０ｅ，１０ｆは、光源としてのモノトーンな明かりのみならず、空などの開放的な風景、幻想的な景色や図柄、あるいは広告といった画像、映像などを写し出しても良い。
【００２５】
第２および第３の実施形態の場合、光源は、ＬＥＤ１０ｃ，１０ｄ、有機ＥＬ１０ｅ，１０ｆなのでソケット台１１にインバータを内蔵しない。また、ソケット台１１には、光源としてＬＥＤ１０ｃ，１０ｄを配設する場合であっても、有機ＥＬ１０ｅ，１０ｆを配設する場合であっても、あるいはＬＥＤ１０ｃ，１０ｄと有機ＥＬ１０ｅ，１０ｆとを適数ずつ組み合わせて配設する場合等であってもよい。ＬＥＤ１０ｃ，１０ｄや有機ＥＬ１０ｅ，１０ｆを発光制御する手段としては、従来一般の駆動制御装置を用いる。
【００２６】
本発明に係る第４の実施形態の照明装置１００について、図５を参照して説明する。なお、第１の実施形態に記載の照明装置１００と同じ機能を有する構成は、同一の符号を付してその説明を省略する。図５に示す照明装置１００は、出入口１５に向いてかご室１の中心の位置を境にそこから左右に３本ずつ、等間隔で第１の光源および第２の光源となる冷陰極蛍光ランプ１０ｇ，１０ｈが配置されている。
【００２７】
本発明に係る第５の実施形態の照明装置１００について、図６を参照して説明する。なお、第１の実施形態に記載の照明装置と同じ構成を有する構成は、同一の符号を付してその説明を省略する。図６に示す照明装置１００は、第１の発光色の第１の光源１０ｍと、これと異なる発光色の第２の発光色の第２の光源１０ｎとを備える。
【００２８】
第１の光源１０ｍは、天井側の照明箱５の内部に取り付けられ、第２の光源１０ｎは、照明板７の内側に取り付けられている。第２の光源１０ｎは、かご室１の上部の隅に沿って配置され、照明板７から第１の光源１０ｍとの間に延びる仕切り板３１で囲われている。第１の光源１０ｍから放射される光は、仕切り板３１の間の照明板７を透過してかご室１内を照らす。第２の光源１０ｎからの光は、仕切り板３１で囲われた外側の範囲の照明板７を透過してかご室１内に放射される。
【００２９】
第１の発光色の具体例は、昼光色であり、第２の発光色の具体例は、白色である。発光色の違いは、冷陰極管を光源に用いる場合、ガラス管の内面に塗布される蛍光材料によって変更される。
【００３０】
なお、第１の光源１０ｍが冷陰極管で、第２の光源１０ｎがＬＥＤであっても良い。また、冷陰極管とＬＥＤと有機ＥＬのいずれを組み合わせて組み込んでも良い。
【産業上の利用可能性】
【００３１】
本発明に係る照明装置は、外からの光が入りにくい閉鎖空間における人工照明として有効である。
【図面の簡単な説明】
【００３２】
【図１】本発明に係る第１の実施形態の照明装置を備えるエレベータの鉛直方向に沿ってかご室の断面を模式的に示す図。
【図２】図１に示したかご室の天井部を下から見上げた平面図。
【図３】本発明に係る第２の実施形態の照明装置を備えるエレベータのかご室の天井を下から見上げた平面図。
【図４】本発明に係る第３の実施形態の照明装置を備えるエレベータのかご室の天井を下から見上げた平面図。
【図５】本発明に係る第４の実施形態の照明装置を備えるエレベータのかご室の天井を下から見上げた平面図。
【図６】本発明に係る第５の実施形態の照明装置を備えるエレベータの鉛直方向に沿ってかご室の断面を模式的に示す図。
【符号の説明】
【００３３】
１…かご室、４…天井部、１０ａ…第１の光源、１０ｂ…第２の光源、１０ｃ…ＬＥＤ（第１の光源）、１０ｄ…ＬＥＤ（第２の光源）、１０ｅ…有機ＥＬ（第１の光源）、１０ｆ…有機ＥＬ（第２の光源）、１０ｇ…冷陰極蛍光ランプ（第１の光源）、１０ｈ…冷陰極蛍光ランプ（第２の光源）、１０ｍ…第１の光源、１０ｎ…第２の光源、１００…照明装置。
【図１】
2007505021.tif 000003
【図２】
2007505021.tif 000004
【図３】
2007505021.tif 000005
【図４】
2007505021.tif 000006
【図５】
2007505021.tif 000007
【図６】
2007505021.tif 000008
【国際調査報告】
2007505021.tif 000009
2007505021.tif 000010